(57)【要約】      （修正有）【課題】収納部の天板を一側縁に開閉自在に取り付け、会合時の使用が簡単にできて、さらに移動、収納が容易にできる簡便式折り畳みミーティングデスクを提供する。【解決手段】簡便式折り畳みミーティングデスクは、折り畳み天板３と回動できる支え板２とこれらを固定出来て筆記可能な白板を付けた収納棚になっている固定設置台４とからなっている。天板３を厚さ２０〜３０ｍｍ、奥行き４００〜６５０ｍｍで、横幅３５０〜４５０ｍｍにして、固定設置台４の高さ４００〜７００ｍｍの位置に蝶番７にて作動的に設置して、固定設置台４の蝶番７で取り付けた支え板２を回動させて、デスク用の天板３を持着させている。【選択図】図２
0003217841.tif 000002
【実用新案登録請求の範囲】
【請求項１】
折り畳み可能な天板と回動できる支え板とこれらを固定出来て筆記可能な白板を付けた収納棚になっている固定設置台とからなった可動デスク型家具において、前記天板を厚さ２０〜３０ｍｍ、奥行き４００〜６５０ｍｍで、横幅３５０〜４５０ｍｍにして、固定設置台の高さ４００〜７００ｍｍの位置に蝶番にて作動的に設置して、上面の白板を張り付けた固定設置台に蝶番で取り付けた支え板を回動させて、デスク用の天板を持着させていることを特徴とする簡便式折り畳みミーティングデスク。
【請求項２】
前記固定設置台は、厚さ１５〜３０ｍｍ、横４００〜５００ｍｍ、縦１３００〜１８００ｍｍの平板の二枚で挟んだ細長箱体で、内部に３〜５段に棚板を入れた幅１５０〜３００ｍｍ中空型の棚家具にして、底部から４００〜８００ｍｍ位置の高さに、前記支え板を縦側に、及び前記天板を横側に蝶番で取り付けて、前記天板をデスクとして前記支え板によって支えて、固定設置台の表面側の上部側に幅４００〜５００ｍｍ、長さ７００〜１０００ｍｍの寸法であるスチール板を内部に内装された磁着できるホワイトボードである白板を張り付けて、テーブル的作業用デスクとして使用できるようになって、デスクとして使用しない場合には、前記天板と前記支え板を折り畳んで、奥行き１５０〜３００ｍｍ、幅４００〜５００ｍｍ、高さ１３００〜１８００ｍｍの棚家具として収納できるようになっていることを特徴とする請求項１に記載の簡便式折り畳みミーティングデスク。
【請求項３】
前記天板は、厚さ２０〜３０ｍｍの無垢板、ＭＤＦ，合板、ランバーコア、パチクルボードから選ばれた材料であって、重量として５ｋｇ以下にして、表面に筆記容易で、或いは物の滑りを少なくしているリノリウム系材を張っており、奥行きの先端側３００〜５５０ｍｍに、半径１７０〜２３０ｍｍの半円状にしていることを特徴とする請求項１に記載の簡便式折り畳みミーティングデスク。
【請求項４】
前記支え板は、厚さ２０〜３０ｍｍ、幅３５０〜４５０ｍｍの無垢板、ＭＤＦ，合板、ランバーコア、パチクルボードから選ばれた平板の化粧材料であって、固定設置台に蝶番で取り付けて、前側に３０〜６０°の角度に回動させて、天板を斜め状に支えて、底部には回動可能のようにキャスターを取り付けていることを特徴とする請求項１に記載の簡便式折り畳みミーティングデスク。
【考案の詳細な説明】
【技術分野】
【０００１】本考案は、立席、或いは座席で会合、ミーティングする場合に使用できで、使用しないときには天板を折畳んだ状態でコンパクトに収納できる簡便式折り畳みミーティングデスクに関する。
【背景技術】
【０００２】広面板によって形成される箱型収納部と、一側縁に折畳み自在に枢支される可動広面板と、可動広面板を水平に支持できるフラット天面を折畳んだ状態にさせる格納位置との間で回動する回転できるキャスター付支持脚とを備えるとともに、前記収納部の内部を棚状にして、下面と支持脚の下端部にキャスターを取付け移動可能に形成した折り畳みデスクであって、前記支持脚は前記収納部の可動広面板に回動自在に挾着され、この挾着が外れない程度に上下方向にスライド可能に遊嵌されている折り畳みデスクが提案されている（特許文献１参照）。【０００３】また収納部の天板の一側縁に可動板を開閉自在に取り付け、この可動板を水平状態に支持する支持脚を拡開、格納自在に設けた折り畳みデスクにおいて、使用が簡単で、優れて、さらに移動、収納において可動広面板の開きが起こらない収納形態を得るロック付固定折り畳みデスクを提供されている（特許文献２参照）。【０００４】  レイアウトの変更の自由度を高め、独立配置させることでミーティングテーブルとして有効利用できるとともに、複数の収納部を備え、複数の机の共通のキャビネットとしても利用できる収納キャビネットが提供されている（特許文献３参照）。【０００５】画像表示装置を支持する表示装置支持体と、この表示装置支持体の隣接位置に配置されるテーブルとを組み合わせてなるミーティングシステムであって、前記表示装置支持体と前記テーブルの間に両者を突き当てた際に相対的な位置決めをなす位置決め手段を設け、前記テーブルの使用縁に沿った所定範囲であって当該使用縁から周囲に向かい所定距離離れた位置までの間を複数人が着座可能な着座領域とした場合に、この着座領域が前記画像表示装置の特性に応じた適正受像角内に収まり、この着座領域が前記画像表示装置の特性に応じた適正離間距離内に収まるように、前記位置決め手段による前記表示装置支持体と前記テーブルとの相対位置が設定されているミーティングテーブルが提案されている（特許文献４参照）。【０００６】回動可能とした脚により天板を支持する構造の折り畳み机において、乗せ置かれる天板を適正に支持する位置まで脚を引き出しても、天板が乗せ置かれるまでは床面に接触しないようにし、この折り畳み机を設置した床面に、脚の回動による擦り傷を生じさせないものが提案されている（特許文献５参照）。【０００７】運搬、或いは保管において、可動天板が簡単に開いて、破損したし、傷をついたりする。収納箱の天板と可動天板デスクとが固着できるようにして、また使用せずに収納時に、物品の衝突、或いは人間の接触によって、収納箱の主体に機能している可動広面板を取り付けているものは存在していない。
【先行技術文献】
【特許文献】
【０００８】
【特許文献１】実用新案登録第３１７８６７２号公報
【特許文献２】実用新案登録第３１８７６６６号公報
【特許文献３】特開２００３−７９４５５号公報
【特許文献４】特開２０１４−９３７４７号公報
【特許文献５】特開２００９−１９５３９９号公報
【考案の概要】
【考案が解決しようとする課題】
【０００９】家庭、或いは企業内で話し合いする場合に、お茶、コーヒーを飲みながら、資料、或いはメモを書きことができる集合台は余りなく、白板や、机を持ち出して行っている。このような場合にホワイトボード付き棚台とデスクが連結されていて、全体の棚台を移動させてミーティング、会合において人数に応じた会議・会合の適切な環境を簡単に切り替えることが望まれている。【００１０】少数の人数のミーティングによってホワイトボードと立席、着座位置で会合する必要が生じる場合もあって、このような状況にも簡単に少人数でも非公式なミーティングが可能で、不要な時には折り畳んで収納できる折り畳み会合できるデスクが好まれるものであった。【００１１】上記したように一般の収納棚、或は折り畳み式デスクを持っており、簡便式折り畳みミーティングデスクは、天板デスク及び支え板のキャスターを取り付けて移動自在にしたものにあって、混雑した部屋ではコンパクトで、会合して、終了後収納して部屋の隅に置くことができて、ミーティング、少数での会合におけるデスクとして利用できるものであり、天板のデスクを折り畳んだ状態で収納したり、そのミーティング台のデスク板を使用する場合には、部屋内を移動したのちにデスク天板を開いて使用するという問題も有していた。【００１２】本考案は、スムーズにミーティングデスクを引き出して、使用しないときにはデスクの天板を折り畳んで収納できる簡便式折り畳みミーティングデスクになる棚台であって、狭い場所、あるいは事務所内で簡便にミーティングデスクとして、また同時に折り畳み式デスク付き収納箱をとして、会合、ミーティング、会議用デスクとなる。使用しない場合には、折り畳み式棚収納容器としてかたずけておき、さらに移動も容易なデスクが要望されている。【００１３】また台所、リビング、事務所で家族と友達たちと会議を行う場合には、平板のデスクが利用できると便利である。これらの簡便式折り畳みミーティングデスクは、家庭内の用具、あるいは書類を箱容器内に収納して、また簡易折り畳みミーティングデスクとして使用できるものであることで、移動デスク、或いは収納棚として、簡単に利用できることが期待されている。特に箱型収納箱の天板に可動広面の天板を折り畳んでおいて、ミーティングなどの使用時に開いて使用できるようにしているデスクが要請されている。
【課題を解決するための手段】
【００１４】折り畳み可能な天板と回動できる支え板とこれらを固定出来て白板を付いて収納棚になっている固定設置台とからなった可動デスク型家具において、前記天板を厚さ２０〜３０ｍｍ、奥行き４００〜６５０ｍｍで、横幅３５０〜４５０ｍｍにして、固定設置台の高さ４００〜７００ｍｍの位置に蝶番にて作動的に設置して、上面の筆記可能な白板を張り付けた固定設置台に蝶番で取り付けた支え板を回動させて、デスク用の天板を持着させている簡便式折り畳みミーティングデスクである。【００１５】前記固定設置台は、厚さ１５〜３０ｍｍ、横４００〜５００ｍｍ、縦１３００〜１８００ｍｍの平板の二枚で、内部に３〜５段に棚板を入れた幅１５０〜３００ｍｍ中空型の棚家具にして、底部から４００〜８００ｍｍ位置の高さに、前記支え板を縦側に、及び前記天板を横側に蝶番で取り付けて、前記天板をデスクとして前記支え板によって支えて、固定設置台の表面側の上部側に幅４００〜５００ｍｍ、長さ７００〜１０００ｍｍの寸法であるスチール板を内部に内装された磁着できるホワイトボードである白板を張り付けて、筆記可能なデスクとして使用できるようになって、デスクとして使用しない場合には、前記天板と前記支え板を折り畳んで、奥行き１５０〜３００ｍｍ、幅４００〜５００ｍｍ、高さ１３００〜１８００ｍｍの棚家具として収納できるようになっているク。【００１６】前記天板は、厚さ２０〜３０ｍｍの無垢板、ＭＤＦ，合板、ランバーコア、パチクルボードから選ばれた材料であって、重量として５ｋｇ以下にして、表面に筆記容易で、或いは物の滑りを少なくしているリノリウム系材料を張っており、奥行きの先端側３００〜５５０ｍｍに、半径１７０〜２３０ｍｍの半円状にしている。リノリウムは、亜麻仁油、松樹脂、木粉、コルク、石灰、顔料、ジュートであって、自然、人体にも優しい自然の材料である。【００１７】前記支え板は、厚さ２０〜３０ｍｍ、幅３５０〜４５０ｍｍの無垢板、ＭＤＦ，合板、ランバーコア、パチクルボードから選ばれた平板の化粧材料であって、固定設置台に蝶番で取り付けて、前側に３０〜６０°の角度に回動させて、天板を斜め状に支えて、底部には回動可能のようにキャスターを取り付けている。【００１８】固定設置台の背面に壁面との固定金具を取り付ける事により、より安定する為の処置を施した
【考案の効果】
【００１９】本考案は、小型収納容器とデスクが兼用できる収納箱の天板と平面板の間に支持脚を折り畳みの状態で回動自在に持着するようにしているので、立席、或いは座席で会合、ミーティングする場合に使用できで、使用しないときには天板を折畳んだ状態でコンパクトに収納できる簡便式折り畳みミーティングデスクとして活用できて、収納箱は、種々の用具、書類などの収納が可能であり、さらに固定する時には支え板のキャスターが作用しなくなるが、スムーズな移動が可能であって収納も容易である。【００２０】事務所での会議をいろいろな場所で、本を移動させて、簡単にミーティングデスクとして使用できて、天板と支え板に挾持される、天板に取り付けられて、天板上に格納できる状態になっており、ミーティングデスクとして使用する場合には収納箱の脚のキャスターを自由に移動ができるようになっている。そのために使用が便利で、軽量で簡単に移動ができる。【００２１】また固定設置台の収納時に棚台としても部屋の隅において使用ができる。さらに天板で、簡単にデスクとして使用できることから便利であった。さらに移動、収納において折り畳み式ミーティングデスクの可動天板の開きが起こらず、移動が簡単になり、また多数の保管も可能になる。【００２２】家庭内においては、座席タイプは子供の勉強机になり親が教えながら学習を行う事が可能である
【図面の簡単な説明】
【００２３】
【図１】簡便式折り畳みミーティングデスクの斜視図
【図２】簡便式折り畳みミーティングデスクのデスクの取り出しの斜視図
【図３】簡便式折り畳みミーティングデスクの収納状態の斜視図  Ａ：正面  Ｂ：裏面
【図４】簡便式折り畳みミーティングデスクの使用している状態図
【考案を実施するための形態】
【００２２】本考案によれば、可動天板を水平状態に支持して、収納棚の天板の間に挾着されて、拡開位置から格納位置までの範囲で回動自在となる。図１は、簡便式折り畳みミーティングデスクの斜視図、図２は、折り畳み式デスクでのデスクの取り出しの斜視図を示した。
【実施例１】
【００２４】図１に示すように、折り畳み可能な天板と回動できる支え板とこれらを固定出来て白板を付いて収納棚になっている固定設置台とからなった可動デスク型家具において、前記天板を厚さ２５ｍｍ、奥行き５５０ｍｍで、横幅４５０ｍｍにして、固定設置台の高さ６００ｍｍの位置に蝶番にて作動的に設置して、固定設置台の蝶番で取り付けた支え板を回動させて、デスク用の天板を持着させている簡便式折り畳みミーティングデスクにした。【００２５】前記固定設置台は、厚さ２５ｍｍ、横４５０ｍｍ、縦１７００ｍｍの平板の二枚で、内部に５段に棚板を入れた幅２５０ｍｍ中空型の棚家具にして、底部から７００ｍｍ位置の高さに、前記支え板と前記天板とを縦側、及び横側に取り付けて、前記天板をデスクとして前記支え板で支えて、固定設置台の表面側の上部側に幅４５０ｍｍ、長さ９００ｍｍの寸法であるスチール板を内部に内装された磁着できるホワイトボード板を張り付けて、デスクとして使用できるようになっており、デスクとして使用しない場合には、図３に示すように前記天板と前記支え板を折り畳んで、奥行き２５０ｍｍ、幅４５０ｍｍ、高さ１７００ｍｍの家具として収納できるようにした。【００２６】図２に示すように前記天板は、厚さ２５ｍｍのフラッシュボード材であって、重量として５ｋｇ以下にして、表面に筆記容易で、或いは物の滑りを少なくしている２ｍｍ厚さのリノニウム系平材料を張っており、奥行きの先端側４００ｍｍに、半径２００ｍｍの半円状にした。【００２７】前記支え板は、厚さ２５ｍｍ、幅４００ｍｍのＭＤＦ平板の化粧材料であって、固定設置台に蝶番で取り付けて、前側に４５°の角度に回動させて、天板を斜め状に支えて、底部には回動可能のようにキャスターを取り付けた。
簡便式折り畳みミーティングデスクは、会社の事務所の机の端において、関係者５名にてコーヒーを飲みながら、ホワイドボード使用しながら、営業などの戦略会議に使用した。
【実施例２】
【００２８】図１に示すよう折り畳み天板と回動できる支え板とこれらを固定出来て白板を付いて収納棚になっている固定設置台とからなった可動デスク型家具において、前記天板を厚さ２５ｍｍ、奥行き５５０ｍｍで、横幅４００ｍｍにして、固定設置台の高さ６００ｍｍの位置に蝶番にて作動的に設置して、固定設置台の蝶番で取り付けた支え板を回動させて、デスク用の天板を持着させている簡便式折り畳みミーティングデスクであった。【００２９】図２に示すように前記固定設置台は、厚さ２０ｍｍ、横４００ｍｍ、縦１６００ｍｍの平板の二枚で、内部に５段に棚板を入れた幅３００ｍｍ中空型の棚容器にして、底部から６００ｍｍ位置の高さに、前記支え板と前記天板とを縦側、及び横側に取り付けて、前記天板をデスクとして前記支え板で支えて、固定設置台の表面側の上部側に幅４００ｍｍ、長さ１０００ｍｍの寸法であるスチール板を内部に内装された磁着できるホワイトボード板を張り付けて、デスクとして使用できるようになっており、デスクとして使用しない場合には、図３に示すように前記天板と前記支え板を折り畳んで、幅４００ｍｍ、高さ１６００ｍｍの家具として収納できるようになった。【００３０】前記天板は、厚さ２０ｍｍのフラッシュボードであって、重量として５ｋｇ以下にして、表面に筆記容易で、或いは物の滑りを少なくしているリノニウム系材料を張っており、奥行きの先端側３００ｍｍに、半径２００ｍｍの半円状にした。前記支え板は、厚さ２０ｍｍ、幅４００ｍｍのフラッシュボードの平板の化粧材料であって、固定設置台に蝶番で取り付けて、前側に４５°の角度に回動させて、天板を斜め状に支えて、底部には回動可能のようにキャスターを取り付けた。簡便式折り畳みミーティングデスクは、家庭において、関係者５名にてコーヒーを飲みながら、ホワイドボード使用しながら、家庭の計画などの会合に使用した。
【符号の説明】
【００３１】１．簡便式折り畳みミーティングデスク
２．支え板
３．天板
４．固定設置台
５．キャスター
６．収納棚
７．蝶番
８．棚板
９．表面
【図１】
0003217841.tif 000003
【図２】
0003217841.tif 000004
【図３】
0003217841.tif 000005
【図４】
0003217841.tif 000006